(57)【要約】      （修正有）【課題】腕時計のバンドに対して融通性のあるホルダーを提供する。【解決手段】取付両端に設けられた腕時計用の取付け部２、該取付け部２間の距離を可変とする可変駆動部３を備えた腕時計用ホルダー１であって、該可変駆動部３は、取付け部２間とにあって、螺子部材３０の回転によって、取付け部２間の距離を調節するもので、前記螺子部材３０は、一つ又は複数備えている。更に、前記螺子部材３０に平行にガイド部材３１を設け、螺子部材３０による取付け部２の移動に方向性を与え制動する構造とする。【選択図】図２
2005315804.tif 000002
【特許請求の範囲】
【請求項１】
腕時計用の取付け部、該取付け部間の距離を可変とする可変駆動部を備えた腕時計用ホルダー
【請求項２】
前記可変駆動部は、取付け部間とにあって、螺子部材の回転によって、取付け部間の距離を調節することを特徴とする請求項１記載の腕時計用ホルダー
【請求項３】
前記螺子部材は、一つ又は複数備えたことを特徴とする請求項2記載の腕時計用ホルダー
【請求項４】
前記螺子部材に平行にガイド部材を設け、螺子部材による取付け部の移動に
方向性を与え制動することを特徴とする腕時計用ホルダー
【請求項５】
前記取付け部には腕時計の取り付け用の円弧状部又は半円形部を備えている
ことを特徴とする請求項1記載の腕時計用ホルダー
【発明の詳細な説明】
【技術分野】
【０００１】
本発明は、時計用のホルダーに関し、特に自動巻き腕時計用ワインダー、腕時計用のコレクションケース、腕時計用の化粧箱や展示用スタンド等に使用されるホルダーの構造に関するものである。
【背景技術】
【０００２】
従来時計を非使用時に置いておく場合、自動巻き時計にあっては、動かさないと時計はその動きを当然停止してしまう。そこで現在、時計をホルダーに取り付け常時回転させることで自動巻き時計へエネルギーを補給するものが使用されている。
又、時計をコレクションケースに載置したり、又化粧箱や時計点の展示用スタンドへ取り付けておくことも行われている。
【０００３】
これら時計のホルダーとしては、今までは固定式のものがあり、そのために腕時計のバンドの長さに対しては、一定のものしか採用することが出来なかった。従って、ホルダーから垂れ下がったり、又無理して時計のバンドを痛めることもあった。
【０００４】
特に,男性用と女性用では、バンドの長さが異なるために、従来のホルダーでは、時計に応じて幾つかの寸法のものを用意する必要があり、手間やコストもかかっていた。
【特許文献１】登録実用新案第３０９７５８７号
【発明の開示】
【発明が解決しようとする課題】
【０００５】
本発明が解決しようとする問題点は、従来の腕時計用ホルダーの構造を腕時計に応じて固定式から調節できる可変式のものへと変更して、上記問題点を解消することにある。
【０００６】
本発明は、腕時計用の取付け部、該取付け部間の距離を可変とする可変駆動部を備えた腕時計用ホルダーを提供する。
【０００７】
更に、前記可変駆動部は、取付け部間とにあって、螺子部材の回転によって、取付け部間の距離を調節する腕時計用ホルダーを提供する。
【０００８】
前記螺子部材は、一つ又は複数備えることで簡単、又は確実な移動を保障する腕時計用ホルダーを提供する。
【０００９】
前記螺子部材に平行にガイド部材を設け、螺子部材による取付け部の移動に
方向性を与え制動する腕時計用ホルダーを提供する。
【００１０】
前記取付け部には腕時計の取り付け用の円弧状部又は半円形部を備え腕時計
に対して、融通性のある腕時計用ホルダーを提供する。
【発明の効果】
【００１１】
本発明の腕時計用ホルダーは、腕時計のバンドの大きさに対応できるものとすることが可能となり、大型の腕時計に対しては、取付け部を移動させることで滑り落ちることがなくなり、又腕周りの細いタイプに対しては、取付け部間を縮小して、従来無理して取り付けることによるホルダーの破損やホルダーの反撥による時計バンドへの負担もなくすことが可能となる。
【発明を実施するための最良の形態】
【００１２】
本発明は腕時計用ホルダーを可変式の構造とし腕時計のバンドに対して融通性のあるホルダーを実現した。
【実施例】
【００１３】
図１は、図１の（１）は、非使用時に腕時計を動かしておくための自動巻き腕時計用の回転台であって、２個の腕時計用ホルダー１、１を支持部材５へ取り付けた１実施例を示し、支持部材５は中心軸５０により回転する。又、図１の（２）は、ショウインドウなどで展示するための展示用スタンド６に取り付けられた腕時計用ホルダー１を示している。
【００１４】
本発明の腕時計用ホルダー１は、詳細は図２に示すような構造となっている。
腕時計用ホルダー１の周りに時計が取り付けられている状況が示されている。
その構造を説明すると、腕時計用ホルダー１は、概略腕時計を取り付ける取両端に設けられる取付け部２，２と、該中心における可変駆動部３とがあって、該可変駆動部３は取付け部２，２間の距離を可変できるようになっている。
【００１５】
取付け部２は、この実施例では、円弧状に曲げられる円弧部２０１を有しており、弾性を有するようになっているので、腕時計を嵌めるときにある程度の余裕を与えることになる。この例では、円弧部２０１は一つだが、2つ重ねることも出来る（図１の（２）参照）。
【００１６】
更に詳細に説明すると、図３に示すように、可変駆動部３は、螺子部材３０を駆動する回転子４が設けられ、且つ螺子部材３０は、その端部側で、前記取付け部２，２へ固定されている螺子用固定子２０，２０に繋がっている。
即ち、螺子の回転子４を手動で動かすと、螺子部材３０が回転する。螺子部材３０の回転により、螺子用固定子２０，２０には螺子が切ってあるので、外側又は内側に拡大又は縮小し進んでその距離を調節することになる。
この移動機構は、従来の固定された螺子のボルトを回転させ嵌めていくことで固定する方式において、ボルト側を固定して螺子側を回転するものに相当する関係にある。
勿論、可変駆動部３の両側の左右の螺子は、逆に切ってあるので（同じ方向に切れば拡大又は縮小しない）、その移動方向は外方又は内側に進み、その距離を拡大又は縮小されることは理解されるであろう。
【００１７】
図２の（２）に示す状態は、腕時計用９を実際に腕時計用ホルダー１に取り付け、しかも、可変駆動部３を一番縮小させて腕時計９を取り付けた状態を示す。この状態から最も腕時計9を適宜な位置に拡大して取り付けることができる。又図３の（２）に示すものは、可変駆動部３を示しており、中心には、回転子４があって、その両側に、螺子を逆に切った螺子３０１，３０１を持つ螺子部材３０，３０が設けられており、回転子４を回すと螺子部材３０、３０が回転し、その螺子部材３０，３０の両端で支持される螺子用固定子２０，２０の回転が伝達される。すると、螺子用固定子２０，２０の螺子部材３０、３０が挿入される孔には螺子が切ってあるので、螺子用固定子２０，２０を動かし、取付け部２，２を拡大又は縮小することになり、腕時計のバンドに合せて調節することができる。
【００１８】
この回転子４は、この実施例では、可変駆動部３の頂部の孔４０から、その一部が突出しているので、この部分を手で回転させることができる。
【００１９】
又回動させるに当たって、動きを制動させるために、螺子部材３０に平行にガイド部材３１を設けることが出来る。図３に示す例では、螺子部材３０に対して平行に２つのガイド部材３１，３１が設けられており、その両端は、螺子用固定子２０，２０の孔３１１へ挿入されている。可変駆動部３では、ガイド部材３１、３１は溶接等の適宜な固定手段３１０によって固定されている。
従って、螺子部材３０が回転しても、その動きをスムースに動かすことが可能であって螺子部材３１，３１が平行に移動できるようにして制動する機能を与える。このガイド部材３１は、図３の（２）に示すように、片側に一つ設けてもよい。
【００２０】
腕時計用ホルダー１としては、その他様々な例が考えられる。
図４の（１）に示すものは、螺子部材３０が一つで、簡単にして他は何も設けないものも考えられる。しかし、その端部にガイド部材３1を設けて、可変駆動部３に固定され、他は螺子用固定子２０，２０の端部の溝内で摺動できるようにする簡単な構造のガイド部材３１付のものも考えられる。
【００２１】
図４の（２）に示すものは、取付け部２，２が半円柱状部２０２となっており、この場合には強度を増すことができる。又、螺子部材は、２つ設けられており、回転子４が片方にあって、図４の（２）に示すように、回転子４に設けられた駆動歯車３２より中間歯車３００を介して、回転を他の螺子部材３へ伝達する。被伝達される螺子部材３０には、回転子は不要だが、対応する箇所に中間歯車３００からの動力を受けるために、被伝達歯車３３が設けられている。
この場合には、ガイド部材は不要であって、双方が螺子であるので、がたつきのないしっかりした移動が保障される。
【００２２】
図５の（１）に示すものは、螺子部材３０、３０を２つ設けたもので、しかも、回転子４，４も２つ設けた例である。この場合には、回転子４に設けた駆動歯車３２，３２は中間歯車３００を介して相互に回転を伝え合うようになっているので、回転子４，４のいずれか一方を回転させればよいことになる。
【００２３】
図５の（２）に示す例は、螺子部材３０を３個設けたもので真ん中の回転子４の駆動歯車３２により、両側の螺子部材３０，３０の被伝達歯車３３，３３を回転させることになっている。3個の螺子部材３０によって強度のある構造とすることができる。いずれにしても、図４の（２）、図５に示すものは、ガイド部材の代わりに、螺子部材のみで移動とガイドを兼用するものとしたので、移動は確実に強度も大きいものとすることができる。
【００２４】
図６の（１）に示す例は、ガイド部材３１，３１による固定式のものに対して、図６の（２）に示すように、バネ３５を嵌めたもので、この場合には、ガイド部材３１，３１は、固定されてなく、摺動できるように、その端部にストパーを設け、取付け部２０，２０の孔内を動けるようにしてある。
【００２５】
図７に示すものは、腕時計用ホルダーを２つ組み合わせたもので、大型な腕時計用に利用される。可変駆動部３は、前記のメカが利用できるが、図の（２）に示すものは、螺子部材３０，３０は、螺子用固定子２０を廃止して構造を簡単にし、相互に反対側に動かすことで、拡大又は縮小することができる。
【００２６】
図８に示すものは、非使用時に腕時計を動かしておくための自動巻き腕時計用の回転台８であって、腕時計用ホルダー１が、３個設けられており、各々中心軸５０から１２０度方向の延びた支持部材５上に取り付けられている。
この場合には、中心軸５０によって回転することで、自動巻き腕時計へエネルギーを与えることになる。なお、腕時計９を腕時計用ホルダーに取り付けた後は、回転台８の上側にカバー８０を螺子等で固定し、外部から回転を保護する。
【００２７】
以上本発明は上記実施例をもって説明したが、本発明の腕時計用ホルダーは、上記実施例に限定されることなく、当業者によって、種々の変形が可能であることは勿論である。
【図面の簡単な説明】
【００２８】
【図１】本発明の一実施例で腕時計用ホルダーの斜視図である。
【図２】上記実施例の腕時計用ホルダーへ腕時計を取り付けた正面図である。
【図３】本発明の一実施例である腕時計用ホルダーの拡大図で、且つ可変駆動部の部分図を示す。
【図４】本発明の腕時計用ホルダーの他の実施例を示す。
【図５】本発明の腕時計用ホルダーの他の実施例を示す。
【図６】本発明の腕時計用ホルダーの他の実施例を示す。
【図７】本発明の腕時計用ホルダーの他の実施例を示す。
【図８】本発明の他の実施例である自動巻き腕時計用の回転台へ腕時計用ホルダーを取り付けた斜視図を示す。
【符号の説明】
【００２９】
１        腕時計用ホルダー
２        取付け部
２０      螺子用固定子
３        可変駆動部
４        回転子
５        支持部
８        
９        腕時計
【図１】
2005315804.tif 000003
【図２】
2005315804.tif 000004
【図３】
2005315804.tif 000005
【図４】
2005315804.tif 000006
【図５】
2005315804.tif 000007
【図６】
2005315804.tif 000008
【図７】
2005315804.tif 000009
【図８】
2005315804.tif 000010